【事件の表示】
　特許第３１９３８８６号「ＣＤホルダー」の請求項１、２に係る特許に対する特許異議の申立てについて、次のとおり決定する。
【結　論】
　訂正を認める。
　特許第３１９３８８６号の請求項１に係る特許を取り消す。
【理　由】
１．手続の経緯
　
　特許第３１９３８８６号に係る発明は、平成９年４月９日に出願され（特願平９−１２６１７３号）、平成１３年５月２５日にその発明について特許権の設定登録がなされ、その後、その特許について、異議申立人　田中　勇　より特許異議の申立てがなされ、取消の理由が通知され、その指定期間内である平成１４年６月１７日に、特許異議の意見書とともに訂正請求がなされたものである。
　
２．訂正の適否についての判断
　
（１）訂正の内容
　特許権者が求めている訂正の内容は、以下のａ、ｂ、ｃ、ｄのとおりである。
　
ア．訂正事項ａ
　特許明細書の特許請求の範囲の【請求項１】
「厚紙等の可撓性板材による背板の片側に前板を重ねてＣＤの一部を収容するポケットを形成し、このポケットの入口には上記前板の一部を切り裂いて張出し部を形成し、かつ、ＣＤをポケット内に押さえる蓋板を背板から折曲げ可能に設け、前記前板と蓋板を背板の対向辺に折返して形成し、その折線上に板厚を逃げてＣＤの外径と同一寸法で折返すための逃げ穴を形成したＣＤホルダー。」を、【請求項２】の記載を含めて、
「厚紙等の可撓性板材による背板の片側に前板を重ねてＣＤの一部を収容するポケットを形成し、このポケットの入口には上記前板の一部を
円弧状等の湾曲した断裂線によって
背板を反らせることにより背板から浮き上がらせてポケットを開口せしめる
前記断裂線の両端部の間隔をＣＤを固定位置に位置決めする幅寸法に形成する一方
かつＣＤを固定する
　
ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定する
　と訂正し、
　特許明細書の特許請求の範囲の【請求項２】
「前記ポケットの開口をその両端によってＣＤを位置決めする幅寸法に形成したことを特徴とする請求項１記載のＣＤホルダー。」を削除するもの。
　なお、上記下線は、訂正事項を明りょうにするために当審において付加したものである。
　
イ．訂正事項ｂ
　上記ａに対応して、明細書【０００５】
「すなわち、厚紙等の可撓性板材による背板の片側に前板を重ねてＣＤの一部を収容するポケットを形成し、このポケットの入口には上記前板の一部を切り裂いて張出し部を形成し、かつ、ＣＤをポケット内に押さえる蓋板を背板から折曲げ可能に設け、前記前板と蓋板を背板の対向辺に折返して形成し、その折線上に板厚を逃げてＣＤの外径と同一寸法で折返すための逃げ穴を形成したものである。」を、
「すなわち、厚紙等の可撓性板材による背板の片側に前板を重ねてＣＤの一部を収容するポケットを形成し、このポケットの入口には上記前板の一部を円弧状等の湾曲した断裂線によって切り裂いて背板を反らせることにより背板から浮き上がらせてポケットを開口せしめる張出し部を形成し、かつ前記断裂線の両端部の間隔をＣＤを固定位置に位置決めする幅寸法に形成する一方、ＣＤをポケット内に押さえる蓋板を背板から折曲げ可能に設け、前記前板と蓋板を、背板の対向辺で折返して形成し、その折線上に板厚を逃げてＣＤの外径と同一寸法で折返しかつＣＤを固定するための逃げ穴を形成してなる。」
　と訂正し、
明細書【０００６】
「また、前記ポケットの開口をその両端によってＣＤを位置決めする幅寸法に形成したものである。」を、
「このため、ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定できるものである。」
　と訂正するもの。
　
ウ．訂正事項ｃ
　上記ａに対応して、明細書【００１６】
「【発明の効果】本発明のＣＤホルダーは、厚紙等の可撓性板材による背板の片側に前板を重ねてＣＤの一部を収容するポケットを形成し、このポケットの入口には上記前板の一部を切り裂いて張出し部を形成し、かつ、ＣＤをポケット内に押さえる蓋板を背板から折曲げ可能に設け、前記前板と蓋板を背板の対向辺に折返して形成し、その折線上に板厚を逃げてＣＤの外径と同一寸法で折返すための逃げ穴を形成したから、蓋体を折り返すことによって、ポケットに保持したＣＤを拘束し、確実に保護することができる。
　このように本発明は簡易な構成によってＣＤを遊動する事がない状態で確実に保護できると共に、最小限度の寸法でＣＤホルダーを形成することができる。」を、
「【発明の効果】本発明のＣＤホルダーは、上述の構成であるから、使用時には、背板を反らせることにより張出し部を背板から浮き上がらせてポケットを開口せしめ、このポケットに背板と張出し部をガイドとして、容易確実にＣＤを挿入あるいは取出すことができる。」
　と訂正するもの。
　
エ．訂正事項ｄ
　上記ａに対応して、明細書【００１７】
「また、前記ポケットの開口をその両端によってＣＤを位置決めする幅寸法に形成した場合は、ＣＤの保持がさらに確実となるのである。」を、
「また、蓋体を折り返すことによって、ポケットに保持したＣＤを拘束し、断裂線の両端部と逃げ穴によってＣＤを確実に保持することができる。このように本発明は簡易な構成によってＤＣを遊動することがない状態で確実に保護することができると共に、最小限度のの寸法でＣＤホルダーを形成することができる。」
　と訂正するもの。
　
（２）訂正の目的の適否、新規事項の有無及び特許請求の範囲の拡張・変更の存否
　
ア．訂正事項ａについて
　
　訂正事項ａの「円弧状等の湾曲した断裂線によって」は、
「張出し部」の形状を限定したものであり、特許請求の範囲の減縮を目的とした明細書の訂正に該当する。
　そして、明細書【０００８】２〜３行目の「張出し部４は、前板３から延長してその略中央部に形成した円弧状等の湾曲した断裂線８によってその周縁部３ａから画成し」との記載に基づく訂正であり、願書に添付した明細書又は図面に記載した事項の範囲内である。
　また、実質上特許請求の範囲を拡張又は変更するものではない。
　
　訂正事項ａの「背板を反らせることにより背板から浮き上がらせてポケットを開口せしめる」は、
　「張出し部」の機能を限定したものであり、特許請求の範囲の減縮を目的とした明細書の訂正に該当する。
　そして、明細書【００１０】２〜４行目の「背板２を矢印Ｃ，Ｃ方向に曲げて反らせると、その反りに従って前板３から延びる周縁部３ａが曲げられる一方、前板３の張出し部４が原形を保って背板２から浮き上がり、基部５と背板２の間に形成されるポケットが開口する。」との記載に基づく訂正であり、願書に添付した明細書又は図面に記載した事項の範囲内である。
　また、実質上特許請求の範囲を拡張又は変更するものではない。
　
　訂正事項ａの「前記断裂線の両端部の間隔をＣＤを固定位置に位置決めする幅寸法に形成する一方」は、
　「張出し部」の寸法を限定したものであり、特許請求の範囲の減縮を目的とした明細書の訂正に該当する。
　そして、訂正前の請求項２に記載されていた事項であり、願書に添付した明細書又は図面に記載した事項の範囲内である。
　また、実質上特許請求の範囲を拡張又は変更するものではない。
　
　訂正事項ａの「かつＣＤを固定する」は、
　「逃げ穴」の機能を限定したものであり、特許請求の範囲の減縮を目的とした明細書の訂正に該当する。
　そして、明細書【００１２】２〜４行目の「また、折線上の逃げ穴１２，１２により、対辺間距離が最小限度の寸法でＣＤホルダー１を構成することができ、かつ、ＣＤ６が位置決めされ、ＣＤ６が遊動することのない確実な保護が可能となる。」との記載に基づく訂正であり、願書に添付した明細書又は図面に記載した事項の範囲内である。
　また、実質上特許請求の範囲を拡張又は変更するものではない。
　
　訂正事項ａの「ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定するかつＣＤを固定する」は、
　「ＣＤホルダー」の機能を限定したものであり、特許請求の範囲の減縮を目的とした明細書の訂正に該当する。
　そして、明細書【００１０】２行目〜【００１２】の「背板２を矢印Ｃ，Ｃ方向に曲げて反らせると、その反りに従って前板３から延びる周縁部３ａが曲げられる一方、前板３の張出し部４が原形を保って背板２から浮き上がり、基部５と背板２の間に形成されるポケットが開口する。
　したがって、前板３によるポケットに対し、背板２と張出し部４をガイドとしてＣＤ６をその外径で保持したまま矢印Ｅ方向に挿し込むように収容することができ、また、取出す際は、背板２の反りに従ってＣＤ６が背板２から浮き上がったＣＤ６をその外径で保持することができるので、ハンドリングマシンによる場合を含め、ＣＤの取扱が容易となる。
　ＣＤ６をポケットに収容した時は、断裂線８の両端部８ａ，８ａによってＣＤ６が位置決めされ、蓋板７と前板３との協調動作によりポケット内のＣＤ６を拘束する。また、折線上の逃げ穴１２，１２により、対辺間距離が最小限度の寸法でＣＤホルダー１を構成することができ、かつ、ＣＤ６が位置決めされ、ＣＤ６が遊動することのない確実な保護が可能となる。」との記載に基づく訂正であり、願書に添付した明細書又は図面に記載した事項の範囲内である。
　また、実質上特許請求の範囲を拡張又は変更するものではない。
　
イ．訂正事項ｂについて
　
　訂正事項ｂは訂正事項ａと整合を図るものであるから、明りょうでない記載の釈明を目的とした明細書の訂正に該当する。
　
　そして、訂正事項ｂは、願書に添付した明細書又は図面に記載した事項の範囲内であり、また、実質上特許請求の範囲を拡張又は変更するものではない。
　
ウ．訂正事項ｃについて
　
　訂正事項ｃは訂正事項ａと整合を図るものであるから、明りょうでない記載の釈明を目的とした明細書の訂正に該当する。
　
　そして、訂正事項ｃは、願書に添付した明細書又は図面に記載した事項の範囲内であり、また、実質上特許請求の範囲を拡張又は変更するものではない。
　
エ．訂正事項ｄについて
　
　訂正事項ｄは訂正事項ａと整合を図るものであるから、明りょうでない記載の釈明を目的とした明細書の訂正に該当する。
　
　そして、訂正事項ｄは、願書に添付した明細書又は図面に記載した事項の範囲内であり、また、実質上特許請求の範囲を拡張又は変更するものではない。
　
（３）むすび
　
　以上のとおりであるから、上記訂正（訂正事項ａ〜ｄ）は、特許法第１２０条の４第２項及び同条第３項で準用する特許法第１２６条第２項及び第３項の規定に適合するので、当該訂正を認める。
　
３．特許異議の申立て及び取消理由の概要
　
（１）申立人　田中　勇　は下記の刊行物１〜３を提出し、請求項１に係る発明の特許は、刊行物１及び２より、特許法第２９条第２項の規定に違反してなされたものであり、請求項２に係る発明の特許は、刊行物１〜３より、特許法第２９条第２項の規定に違反してなされたものであるから取り消すべき旨、主張している。
　
（２）平成１４年４月５日付け取消理由通知において、本件出願の請求項１に係る発明は下記の刊行物１及び２、請求項２に係る発明は下記の刊行物１〜３に記載された発明に基づいて、その出願前にその発明の属する技術の分野における通常の知識を有する者が容易に発明をすることができたものであるから、特許法第２９条第２項の規定により特許を受けることができない、旨の通知がなされた。
　
刊行物１：登録実用新案第３０２６１５４号公報（異議申立人の提出した甲第２号証）
刊行物２：特開平８−３１８９８３号公報（異議申立人の提出した甲第１号証）
刊行物３：意匠登録第９５５６１０号公報（異議申立人の提出した甲第３号証）
　
４．特許異議の申立てについての判断
　
（１）本件発明
　本件の請求項１に係る特許発明（以下「本件特許発明」という。）は、上記訂正を認めたので、訂正明細書の特許請求の範囲の請求項１に記載された事項により特定される下記のとおりのものである。
　
【請求項１】
　厚紙等の可撓性板材による背板の片側に前板を重ねてＣＤの一部を収容するポケットを形成し、このポケットの入口には上記前板の一部を円弧状等の湾曲した断裂線によって切り裂いて背板を反らせることにより背板から浮き上がらせてポケットを開口せしめる張出し部を形成し、かつ前記断裂線の両端部の間隔をＣＤを固定位置に位置決めする幅寸法に形成する一方、ＣＤをポケット内に押さえる蓋板を背板から折曲げ可能に設け、前記前板と蓋板を、背板の対向辺で折返して形成し、その折線上に板厚を逃げてＣＤの外径と同一寸法で折返しかつＣＤを固定するための逃げ穴を形成してなり、
　ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定するＣＤホルダー。
　
（２）刊行物に記載された発明
　
（２−１）刊行物１には、図１及びそれに関連する明細書３〜６段落に、板紙による本体のうち図１において襠部と襠部に挟まれた部分の片側に本体のうち図１において左側の襠部より左の部分を重ねてＣＤを収容する収納部を形成し、ＣＤを収納部内に押さえる封止片を本体の一部から折り曲げ可能に設け、前記本体の他の一部と封止片を本体の一部の対向辺に折返して形成し、折返し部分に板厚を逃げてＣＤの外径と同一寸法で折返すための切欠き部を形成したＣＤ包装郵送用ケース、が示されている。
　そして、６段落９〜１２行に「次に、切欠き部４は、ＣＤ若しくはＣＤＲＯＭを本考案のケースに収納可能にするために必要であって、その巾は襠部３と同一とし長さは２〜５ｃｍ好ましくは２〜３．５ｃｍである。該長さはＣＤ等を安定して収納し、安全に郵送するために適当である。」と記載されている。
　
（２−２）刊行物２には、ＣＤを収容するための構造として、図１及びそれに関連する明細書１０〜１３段落において、
「【００１０】
【作用】ＣＤ収納体の厚みは、各片体や表紙の厚みにＣＤの厚みを加えた寸法であり、従来のプラスチックケースに比べて薄く、従って、かさばることなく、取り扱いも簡単になされる。また、ＣＤ収納体は、一枚の片体や表紙を折れ線から折り畳んで形成され、しかも、各折れ線は互いに平行しているため、片体や表紙をその折れ線と平行する方向に移動させつつ各片体を機械的に自動的に順次折り畳むことができ、従って、簡単な構成の部材、装置により低コストでＣＤ収納体を得ることができる。
【００１１】
【実施例】以下、本発明の実施例を添付図面に従って説明する。図１（Ａ）は第１実施例に係るＣＤ収納体の斜視図を示す。第１実施例に係るＣＤ収納体２は、ＣＤ付きパンフレットとして頒布されるものである。ＣＤ収納体２は、ＣＤ収納部４を有するＣＤ収納片６と、このＣＤ収納片６に合わされＣＤ収納部４を覆うカバー片８とで構成されている。ＣＤ収納部４はＣＤ収納片６に形成され底部と左右両側が閉塞されたＣＤ収納用の隙間１０と、この隙間１０に連通するＣＤ挿入用開口１２とで構成されている。ＣＤ１４は、この実施例では、２つの矩形の透明なプラスチックシートがその外周の４辺が溶着された扁平な袋１６に不織布と共に封入されている。前記ＣＤ挿入用開口１２は、袋１６がＣＤ収納部４に挿入される幅で形成されている。ＣＤ挿入用開口１２が形成される高さは、ＣＤ挿入用開口１２から前記隙間１０にＣＤ１４が挿入された状態で、ＣＤ収納片６の地側とＣＤ挿入用開口１２の下縁との寸法がＣＤ１４のほぼ半径程度の寸法になるように設定されている。ＣＤ挿入用開口１２の形状は、一定の幅で左右方向に延在する部分と、この部分の両端に接続され地側に突出する部分とで形成されている。
【００１２】前記ＣＤ収納体２は、図 1（Ｂ）に示す片体１８から製作される。片体１８は、互いに平行する第１、第２折れ線２０、２２を介して連設された第１，第２，第３片体２４、２６、２８を備える。片体１８としては、例えば、厚紙や薄い合成樹脂製シート等を用いることができる。各第１，第２，第３片体２４、２６、２８はＣＤ１４よりも大きい左右幅で上下に縦長の長方形に形成されている。第１片体２４はカバー片８となり、第２、第３片体２６、２８によりＣＤ収納部４が形成される。、ＣＤ挿入用開口１２は第３片体２８に形成されている。
【００１３】片体１８からＣＤ収納体２を製作するには、まず、図１（Ｂ）に斜線で示すように、第２片体２６と第３片体２８の内面の上下の縁に糊を塗布すると共に、第２片体２６の左側縁と第３片体２８の右側縁に糊を塗布する。次に、図１（Ｃ）に示すように、第２折れ線２２を境として第２片体２６と第３片体２８を谷折りして重ね合わせ、前記糊により第２片体２６と第３片体２８を接着する。第２片体２６と第３片体２８との接着は、片体１８の印刷工程時に形成した接着層により行うようにしてもよい。この接着により、前記ＣＤ収納部４が得られ、図１（Ｄ）に示すように、第１折れ線２０を境に第１片体２４と第２片体２６を谷折りすることでＣＤ収納体２が得られる。ＣＤ収納部４には、図１（Ｅ）、（Ｆ）に示すように、ＣＤ挿入用開口１２から袋１６と共にＣＤ１４が挿入され、この状態でＣＤ収納部４を覆うようにカバー片８が折り畳まれ、ＣＤ収納体２として市場に流通される。」と記載されている。
　また、図６４及びそれに関連する明細書４６段落１〜７行において、
「次に、図６４を参照して、ＣＤ挿入用開口１２の変形例について説明する。・・・図６４（Ｂ）、（Ｄ）では円弧状に形成したものである。」と記載されている。
　
（２−３）刊行物３には、図面と共に、説明の欄４〜６行には、
　「下の切れ目にコンパクトディスクの下部を、シートを貫通させて挿し込み、コンパクトディスクを位置決めして保持する。正面図の上の曲線線図と下の曲線線図はシートを貫通している切れ目である。」と記載されている。
　
（３）対比・判断
　本件特許発明も刊行物１に記載された発明もＣＤを収納する技術に関するものであり、刊行物１の「板紙」「本体のうち図１において襠部と襠部に挟まれた部分」「本体のうち図１において左側の襠部より左の部分」「収納部」「封止片」「切欠き部」「ＣＤ包装郵送用ケース」は、それぞれ本件特許発明の「厚紙等の可撓性板材」「背板」「前板」「ポケット」「蓋板」「逃げ穴」「ＣＤホルダー」に相当する。
　したがって、本件特許発明と刊行物１に記載された発明とを対比すると、
　「厚紙等の可撓性板材による背板の片側に前板を重ねてＣＤを収容するポケットを形成し、蓋板を背板から折曲げ可能に設け、前記前板と蓋板を、背板の対向辺で折返して形成し、その折線上に板厚を逃げてＣＤの外径と同一寸法で折返すための逃げ穴を形成してなるＣＤホルダー。」
　の点で一致し、次の点で一応相違している。
　
相違点１
　本件特許発明において、
　ポケットの入口には前板の一部を切り裂いて張出し部を形成し、ＣＤの一部をポケット内に収容するのに対し、
　刊行物１に記載された発明においては、
　ＣＤの全部をポケット内に収容する点。
　
相違点２
　本件特許発明において、
　切り裂いた開口部分の形状が、円弧状等の湾曲した断裂線であり、かつ前記断裂線の両端部の間隔をＣＤを固定位置に位置決めする幅寸法に形成するのに対し、
　刊行物１に記載された発明においては、
　相違点１において指摘したように切り裂いた開口部分がないため、断裂線が存在しない点。
　
相違点３
　本件特許発明において、
　逃げ穴がＣＤを固定するのに対し、
　刊行物１に記載された発明においては、
　逃げ穴がＣＤを固定するのかどうか明示されていない点。
　
相違点４
　本件特許発明において、
　ＣＤの収容時には、背板を反らせることにより張出し部を背板から浮き上がらせてポケットを開口せしめ、このポケットに背板と張出し部をガイドとしてＣＤを上方から挿入するのに対し、
　刊行物１に記載された発明においては、
　相違点１において指摘したように切り裂いた開口部分がないため、背板を反らせて開口すべきポケット自体が存在しない点。
　
　　上記相違点について順次検討する。
　
相違点１について
　刊行物２には、ＣＤ収納部の入口には第３片体の一部を切り裂いてＣＤ挿入用開口（本件特許発明の張出し部に相当）を形成する
　点が示されている。
　そして、刊行物２に記載された発明は、厚紙や薄い合成樹脂製シート等（本件特許発明の厚紙等の可撓性板材に相当）による第２片体２６（本件特許発明の背板に相当）の片側に第３片体２８（本件特許発明の前板に相当）を重ねてＣＤの一部を収容するＣＤ収納部（本件特許発明のポケットに相当）を形成し、第１片体２４（本件特許発明の蓋板に相当）を第２片体から折曲げ可能に設け、前記第３片体と第１片体を第２片体の対向辺に折返して形成する点で、刊行物１に記載された発明と同一の技術分野に属するものであり、本件特許発明が断裂線と逃げ穴との配置関係を特定しているものでもないので、刊行物１に記載された発明における収納部（本件特許発明のポケットに相当）を刊行物２に記載された発明におけるＣＤ挿入用開口を有するＣＤ収納部（本件特許発明のポケットに相当）に置き換えることには格別困難があるとは認められない。
　
相違点２について
　刊行物２には、「次に、図６４を参照して、ＣＤ挿入用開口１２の変形例について説明する。・・・図６４（Ｂ）、（Ｄ）では円弧状に形成したものである。」（４６段落）と記載されており、本件特許発明における「円弧状等」の「等」の意味する技術的範囲が不明りょうではあるが、刊行物２には「円弧状等の湾曲した断裂線」が示されているものと認められる。したがって、刊行物１に記載された発明に刊行物２に記載された発明を適用した際に断裂線を円弧状とすることは適宜選択しうる設計的事項に過ぎない。
　また、刊行物２には「前記ＣＤ挿入用開口１２は、袋１６がＣＤ収納部４に挿入される幅で形成されている。」（１１段落）と記載されており、ＣＤ挿入用開口を挿入されるＣＤ等の大きさに合わせて設計することは当然に行われていることである。そして、ＣＤを袋に入れずに収納することは刊行物１や刊行物３に示されているように従来から行われていることであり、刊行物３には、断裂線の両端部の間隔をＣＤを位置決めする幅寸法に形成する点が示されていることから、刊行物１に記載された発明に刊行物２に記載された発明を適用したものにおいて、ＣＤを直接開口に挿入するようにして、開口である断裂線の両端部の間隔をＣＤを位置決めする程度の間隔とすることは当業者であれば十分想到しうる事項であると認められる。
　なお、権利者は取消理由通知に対する特許異議意見書３頁２５行〜４頁４行において「しかしながら上記刊行物３の意匠では、「上の切れ目にＣＤの上部を、下の切れ目にＣＤの下部を、シートを貫通させて差し込み、ＣＤを位置決めして保持する」と説明されている。この構成では、下の切れ目の両端はＣＤを保持するための保持位置での位置決めとして作用していない。つまり、上の切れ目と共にＣＤを保持するときに、上の切れ目はＣＤの斜め上部１カ所を舌片で軽く押さえているだけであるため、ＣＤの位置決めが安定して行われず確実に保持されない。」と主張している。しかしながら、刊行物３の下の切れ目は、ある程度以上はＣＤが切れ目に入らないと言う点で位置決めすることは明らかであり、本願特許発明の「円弧状等の湾曲した断裂線」との差異は認められないので当該主張は採用しない。
　
相違点３について
　刊行物１には、本件特許発明の「逃げ穴」に相当する「切欠き部」の長さについて「ＣＤ等を安定して収納し」と記載されている。そして、刊行物１に示された発明においては、ＣＤ包装郵送用ケースの幅をＣＤの直径と同じ１２ｃｍとなすという課題からみて、ＣＤが露出して全体の幅が１２ｃｍを超えることがないように、「切欠き部」の長さを、収納されたＣＤが露出しない程度に設計することは当然に考え得ることである。そして、そのように設計すれば、ＣＤはある程度固定され、ＣＤが安定して収納されることになる。
　したがって、本件特許発明において、ＣＤを固定するための逃げ穴の具体的構成は不明ではあるものの、刊行物１においてもＣＤを固定する技術思想は示されているものと認められ、相違点３は実質的な差異とは認められない。
　
相違点４について
　相違点４に示された点は、ＣＤホルダーの使い方が記載されているのみで、ＣＤホルダーの具体的構成は何ら限定されていないものである。従って、相違点４は実質的な差異とは認められない。
　なお、刊行物１〜３に示されたＣＤホルダーはある程度反らせることができる材質であるし、特に刊行物２、及び３に示された開口にＣＤを挿入しようとすれば開口を開いて挿入することは当然に行うことであり、開口を開くためにどの部分を反らせるかは適宜なし得る程度の事項に過ぎない。
　
　したがって、本件特許発明は、本件出願前に頒布された刊行物１、２及び３に記載された発明に基づいて、当業者が容易に発明をすることができたものと認める。
　
（４）むすび
　以上のとおりであるから、本件特許発明についての特許は特許法第２９条第２項の規定に違反してされたものである。
　したがって、本件特許発明についての特許は、特許法第１１３条第２号に該当し、取り消されるべきものである。
　よって、結論のとおり決定する。
【異議決定日】
平成１４年７月１８日（２００２．７．１８）
【訂正の要旨】
訂正の要旨
　特許権者が求めている訂正の内容は、以下のとおりである。
訂正事項Ａ：
　特許明細書の特許請求の範囲の請求項１を
「厚紙等の可撓性板材による背板の片側に前板を重ねてＣＤの一部を収容するポケットを形成し、このポケットの入口には上記前板の一部を円弧状等の湾曲した断裂線によって切り裂いて背板を反らせることにより背板から浮き上がらせてポケットを開口せしめる張出し部を形成し、かつ前記断裂線の両端部の間隔をＣＤを固定位置に位置決めする幅寸法に形成する一方、ＣＤをポケット内に押さえる蓋板を背板から折曲げ可能に設け、前記前板と蓋板を、背板の対向辺で折返して形成し、その折線上に板厚を逃げてＣＤの外径と同一寸法で折返しかつＣＤを固定するための逃げ穴を形成してなり、
　ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定するＣＤホルダー。」と訂正する。
訂正事項Ｂ：
　特許明細書の特許請求の範囲の請求項２を削除する。
訂正事項Ｃ：
　特許明細書【０００５】を
「すなわち、厚紙等の可撓性板材による背板の片側に前板を重ねてＣＤの一部を収容するポケットを形成し、このポケットの入口には上記前板の一部を円弧状等の湾曲した断裂線によって切り裂いて背板を反らせることにより背板から浮き上がらせてポケットを開口せしめる張出し部を形成し、かつ前記断裂線の両端部の間隔をＣＤを固定位置に位置決めする幅寸法に形成する一方、ＣＤをポケット内に押さえる蓋板を背板から折曲げ可能に設け、前記前板と蓋板を、背板の対向辺で折返して形成し、その折線上に板厚を逃げてＣＤの外径と同一寸法で折返しかつＣＤを固定するための逃げ穴を形成してなる。」と訂正する。
訂正事項Ｄ：
　特許明細書【０００６】を
「このため、ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定できるのである。」と訂正する。
訂正事項Ｅ
　特許明細書【００１６】を
「【発明の効果】本発明のＣＤホルダーは、上述の構成であるから、使用時には、背板を反らせることにより張出し部を背板から浮き上がらせてポケットを開口せしめ、このポケットに背板と張出し部をガイドとして、容易確実にＣＤを挿入あるいは取出すことができる。」と訂正する。
訂正事項Ｆ
　特許明細書【００１７】を
「また、蓋体を折り返すことによって、ポケットに保持したＣＤを拘束し、断裂線の両端部と逃げ穴によってＣＤを確実に保持することができる。このように本発明は簡易な構成によってＤＣを遊動することがない状態で確実に保護することができると共に、最小限度の寸法でＣＤホルダーを形成することができる。」と訂正する。
（５４）【発明の名称】
ＣＤホルダー
（５７）【特許請求の範囲】
　【請求項１】　厚紙等の可撓性板材による背板の片側に前板を重ねてＣＤの一部を収容するポケットを形成し、このポケットの入口には上記前板の一部を円弧状等の湾曲した断裂線によって切り裂いて背板を反らせることにより背板から浮き上がらせてポケットを開口せしめる張出し部を形成し、かつ前記断裂線の両端部の間隔をＣＤを固定位置に位置決めする幅寸法に形成する一方、ＣＤをポケット内に押さえる蓋板を背板から折曲げ可能に設け、前記前板と蓋板を、背板の対向辺で折返して形成し、その折線上に板厚を逃げてＣＤの外径と同一寸法で折返しかつＣＤを固定するための逃げ穴を形成してなり、
　ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定するＣＤホルダー。
【発明の詳細な説明】
　【０００１】
　【発明の属する技術分野】
　本発明は、直径１２ｃｍのコンパクトディスク等、主として片手で取扱いが可能なディスク（以下「ＣＤ」と略称する。）を保護するためのＣＤホルダーに関し、特に、ＣＤを容易に出し入れすることができるＣＤホルダーに関する。
　【０００２】
　【従来の技術】
　厚紙等によって長方形の背板と前板をその３辺で閉じ、他の１辺に開閉可能な蓋板を設けて封筒状に構成したＣＤホルダーが知られている。このＣＤホルダーは、蓋板側の開口から背板と前板との間のポケット部にＣＤを収容することにより、郵送等に際してＣＤを確実に保護することができる。
　【０００３】
　【発明が解決しようとする課題】
　しかしながら、一般に、手指でＣＤを持つ際は、手指を大きく広げてＣＤの外径を保持することから、ＣＤを上記ＣＤホルダーに収容する際は、そのポケット部の奥までＣＤを押込む際に、ＣＤの盤面を上下に挟んで持ち直しをする必要があり、また、取り出す際は、逆に、ＣＤの盤面を上下に挟んで引出した後に持ち直しする必要があり、煩わしい動作を余儀なくされていた。本発明の目的は、簡易に構成によってＣＤを確実に保護するとともに、容易にＣＤの出し入れができるＣＤホルダーを提供することにある。
　【０００４】
　【課題を解決するための手段】
　本発明は、上記の課題を解決するためになされたものであり、可撓性板材によるＣＤをコンパクトかつ確実に保持することを要旨とし、その具体的な解決手段は次の通りである。
　【０００５】
　すなわち、厚紙等の可撓性板材による背板の片側に前板を重ねてＣＤの一部を収容するポケットを形成し、このポケットの入口には上記前板の一部を円弧状等の湾曲した断裂線によって切り裂いて背板を反らせることにより背板から浮き上がらせてポケットを開口せしめる張出し部を形成し、かつ前記断裂線の両端部の間隔をＣＤを固定位置に位置決めする幅寸法に形成する一方、ＣＤをポケット内に押さえる蓋板を背板から折曲げ可能に設け、前記前板と蓋板を、背板の対向辺で折返して形成し、その折線上に板厚を逃げてＣＤの外径と同一寸法で折返しかつＣＤを固定するための逃げ穴を形成してなる。
　【０００６】
　このため、ＣＤの収容時には、背板を反らせることにより張出し部を背板から浮き上がらせてポケットを開口せしめ、このポケットに背板と張出し部をガイドとしてＣＤを上方から挿入した後、ＣＤの周縁を、前記断裂線の両端部と折線上に形成した逃げ穴によって位置決めして固定できるのである。
　【０００７】
　【発明の実施の形態】
　図１は本発明のＣＤホルダーの平面図である。ＣＤホルダー１は、厚紙等の可撓性板材による長方形の背板２と、この背板２から前板３を折返し、その開口側を延長した略中央に舌状の張出し部４を形成しつつ周縁部３ａを残し、この周縁部３ａを背板２に固定し、張出し部４を支える基部５と背板２とによって形成されるポケットにＣＤ６の一部を収容した時に、ＣＤ６の外周の反対側を押える位置に蓋板７を折曲げ可能に設けて構成する。
　【０００８】
　図２は図１のＣＤホルダーの展開構成を示す斜視図である。張出し部４は、前板３から延長してその略中央部に形成した円弧状等の湾曲した断裂線８によってその周縁部３ａから画成し、自由端を形成する。断裂線８は、張出し部４がＣＤ６の一部のみを覆う大きさに形成する。この断裂線８がポケットの入口となり、その両端部８ａ，８ａをＣＤ６の外周位置に合わせる。
　【０００９】
　前板３と蓋板７とを背板２の対向辺から折返し、その折線１０，１１上にその板厚を逃げてＣＤ６の外径と同一寸法で折返すための逃げ穴１２，１２を形成し、その前板３を折線１０によって矢印Ａから矢印Ｂまで折返し、接着剤を塗布した貼着部１３，１３を介して蓋板７の近傍で背板２と前板３とを固着する。
　【００１０】
　図３は図１のＣＤホルダーの使用状態を示す斜視図である。背板２を矢印Ｃ，Ｃ方向に曲げて反らせると、その反りに従って前板３から延びる周縁部３ａが曲げられる一方、前板３の張出し部４が原形を保って背板２から浮き上がり、基部５と背板２の間に形成されるポケットが開口する。
　【００１１】
　したがって、前板３によるポケットに対し、背板２と張出し部４をガイドとしてＣＤ６をその外径で保持したまま矢印Ｅ方向に押し込むように収容することができ、また、取出す際は、背板２の反りに従ってＣＤ６が背板２から浮き上がったＣＤ６をその外径で保持することができるので、ハンドリングマシンによる場合を含め、ＣＤの取扱が容易となる。
　【００１２】
　ＣＤ６をポケットに収容した時は、断裂線８の両端部８ａ，８ａによってＣＤ６が位置決めされ、蓋板７と前板３との協調動作によりポケット内のＣＤ６を拘束する。また、折線上の逃げ穴１２，１２により、対辺間距離が最小限度の寸法でＣＤホルダー１を構成することができ、かつ、ＣＤ６が位置決めされ、ＣＤ６が遊動することのない確実な保護が可能となる。
　【００１３】
　このように、本発明のＣＤホルダーは、簡易な構成によってＣＤの取扱性を向上することができ、また、最小限度の寸法によりＣＤを確実に保護できることから郵送用としても最適である。
　【００１４】
　上記において、背板の片面に前板によってポケットを形成し、この前板から張出し部を延ばし、蓋板を設けた場合においても、前板によるポケット、張出し部、蓋板は前記同様の作用をなすことから、ＣＤを容易に出し入れすることができ、また、ポケットに保持したＣＤ６を拘束し、ＣＤ６を確実に保護することができる。
　【００１５】
　さらに、上記前板によるポケットの開口をその両端によってＣＤを位置決めする幅寸法に形成した場合も前記同様の効果をなすことが明らかなので、その詳細の説明を省略する。
　【００１６】
　【発明の効果】
　本発明のＣＤホルダーは、上述の構成であるから、使用時には、背板を反らせることにより張出し部を背板から浮き上がらせてポケットを開口せしめ、このポケットに背板と張出し部をガイドとして、容易確実にＣＤを挿入あるいは取出すことができる。
　【００１７】
　また、蓋体を折り返すことによって、ポケットに保持したＣＤを拘束し、断裂線の両端部と逃げ穴によってＣＤを確実に保持することができる。このように本発明は簡易な構成によってＣＤを遊動することがない状態で確実に保護することができると共に、最小限度の寸法でＣＤホルダーを形成することができる。
【図面の簡単な説明】
　【図１】
　本発明のＣＤホルダーの平面図
　【図２】
　図１のＣＤホルダーの展開構成を示す斜視図
　【図３】
　図１のＣＤホルダーの使用状態を示す斜視図
　【符号の説明】
　１　ＣＤホルダー
　２　背板
　３　前板（ポケット）
　３ａ　周縁部
　４　張出し部
　５　基部
　６　ＣＤ
　７　蓋板
　８　断裂線
　８ａ　端部
　１０　折線
　１１　折線
　１２　逃げ穴
　１３　貼着部
　Ｃ　曲げ方向